(57)【要約】【課題】生体認証に係る生体情報の、不正な登録を防止する。【解決手段】生体認証装置（１００）において、制御部（１１１）は、取得した掌紋画像Ｙと、記憶された掌紋画像Ｘとを参照して認証処理を行い、掌紋画像Ｙと指紋画像Ａとが同一の生体の生体情報であるか否かを判定する一体性判定処理を行い、認証処理が成功し、かつ、一体性判定処理の結果、同一の生体の生体情報である場合に、指紋画像Ａに基づく登録情報を記憶させる。【選択図】図１
2019032640.tif 000002
【特許請求の範囲】
【請求項１】
生体の第１部位に対応する第１生体情報を取得する第１生体情報取得部と、
生体の第２部位に対応する第２生体情報を取得する第２生体情報取得部と、
上記生体情報の認証に用いる登録情報を記憶する記憶部と、
制御部と、
を備える生体認証装置であって、
上記制御部は、
上記第１生体情報と、上記記憶部に記憶された第１登録情報とを参照して第１認証処理を行い、
上記第１生体情報と上記第２生体情報とが同一の生体の生体情報であるか否かを判定する一体性判定処理を行い、
上記第１認証処理が成功し、かつ上記一体性判定処理の結果が同一の生体の生体情報であることを示す場合に、上記第２生体情報に基づく登録情報を第２登録情報として上記記憶部に記憶させる
ことを特徴とする生体認証装置。
【請求項２】
上記制御部は、
上記第２生体情報取得部が取得した、上記第２生体情報とは異なる他の第２生体情報と、上記第２登録情報とを参照して、第２認証処理を行う
ことを特徴とする請求項１に記載の生体認証装置。
【請求項３】
上記第１生体情報取得部は、撮像画像として動画像または連続撮影された一連の画像を取得する撮像部を含み、
上記一体性判定処理は、
上記撮像画像から、生体の上記第１部位を含む第１生体画像と、生体の上記第２部位を含む第２生体画像とを取得する画像取得処理と、
上記第１生体画像と上記第２生体画像とが、同一の生体を撮像したものであるか否かを判定する画像追跡処理と、
上記第１生体画像と上記第２生体画像と上記画像追跡処理の結果とを参照して、上記第１生体情報と上記第２生体情報とが同一の生体の生体情報であるか否かを判定する処理とを含む
ことを特徴とする請求項１または２に記載の生体認証装置。
【請求項４】
上記第１生体情報は、上記第１生体画像であり、
上記第２生体情報取得部は、指紋センサであり、
上記一体性判定処理は、
上記第２生体情報と、上記第２生体画像とが、同一の生体の第２部位から取得された情報であるか否かを判定する処理を更に含む
ことを特徴とする請求項３に記載の生体認証装置。
【請求項５】
少なくとも１つの表示部を更に備え、
上記制御部は、
上記撮像部が上記生体画像を撮像する場合、
上記第１部位と、上記第２部位に関連する部位との配置位置をガイドする第１ガイド画像と、
上記第２部位の配置位置をガイドする第２ガイド画像とを、上記表示部に表示させることを特徴とする請求項３または４に記載の生体認証装置。
【請求項６】
上記第１生体情報は、掌紋を示す情報であり、
上記第２生体情報は、指紋を示す情報である
ことを特徴とする請求項１から５の何れか一項に記載の生体認証装置。
【請求項７】
生体の第１部位に対応する第１生体情報を取得する第１生体情報取得部と、
生体の第２部位に対応する第２生体情報を取得する第２生体情報取得部と、
上記生体情報の認証に用いる登録情報を記憶する記憶部と、
上記第１生体情報と、上記記憶部に記憶された第１登録情報とを参照して第１認証処理を行う第１認証処理部と、
上記第１生体情報と上記第２生体情報とが同一の生体の生体情報であるか否かを判定する一体性判定処理を行う一体性判定部と、
上記第１認証処理が成功し、かつ上記一体性判定処理の結果が同一の生体の生体情報であることを示す場合に、上記第２生体情報に基づく登録情報を、第２登録情報として上記記憶部に記憶させる登録部と、
を備えることを特徴とする制御装置。
【請求項８】
生体の第１部位に対応する第１生体情報を取得する第１生体情報取得部と、
生体の第２部位に対応する第２生体情報を取得する第２生体情報取得部と、
上記生体情報の認証に用いる登録情報を記憶する記憶部と、
を備える生体認証装置の制御方法であって、
上記第１生体情報と、上記記憶部に記憶された第１登録情報とを参照して第１認証処理を行う第１認証ステップと、
上記第１生体情報と上記第２生体情報とが同一の生体の生体情報であるか否かを判定する一体性判定処理を行う一体性判定ステップと、
上記第１認証処理が成功し、かつ上記一体性判定処理の結果が同一の生体の生体情報であることを示す場合に、上記第２生体情報に基づく登録情報を、第２登録情報として上記記憶部に記憶させる登録ステップと、
を含むことを特徴とする制御方法。
【請求項９】
生体の第１部位に対応する第１生体情報を取得する第１生体情報取得部と、
生体の第２部位に対応する第２生体情報を取得する第２生体情報取得部と、
上記生体情報の認証に用いる登録情報を記憶する記憶部と、
を備える生体認証装置を制御する制御部として、コンピュータを機能させるためのプログラムであって、
上記第１生体情報と、上記記憶部に記憶された第１登録情報とを参照して第１認証処理を行う第１認証ステップと、
上記第１生体情報と上記第２生体情報とが同一の生体の生体情報であるか否かを判定する一体性判定処理を行う一体性判定ステップと、
上記第１認証処理が成功し、かつ上記一体性判定処理の結果が同一の生体の生体情報であることを示す場合に、上記第２生体情報に基づく登録情報を、第２登録情報として上記記憶部に記憶させる登録ステップと、
をコンピュータに行わせることを特徴とするプログラム。
【発明の詳細な説明】
【技術分野】
【０００１】
本発明は、生体認証装置、制御装置、制御方法、および、プログラムに関する。
【背景技術】
【０００２】
従来の生体認証装置においては、パスワード認証後に入力された生体情報を、パスワード認証によって特定されたユーザのものとして登録する。例えば、特許文献１には、情報処理システムにおいて、ユーザにより入力されたユーザ情報（ユーザ名、パスワード、ユーザ認証先）を受け付けてユーザの確認を行った後、指静脈情報を取得して登録する技術が、開示されている。
【先行技術文献】
【特許文献】
【０００３】
【特許文献１】特許第４９３６４０４号公報（２０１０年９月９日公開）
【発明の概要】
【発明が解決しようとする課題】
【０００４】
従来の生体認証装置では、パスワードの漏えい等により、他人の生体情報を対象ユーザのものとして登録されてしまうリスクがある。
【０００５】
例えば、スマートフォンに従来技術を適用した場合のことを考える。スマートフォンはＰＣ等の情報機器に比べて筐体が小さいので、ユーザ操作が比較的容易に周囲から観察され得る。従って、ユーザが入力するパスワードを比較的容易に盗み見され、それにより他人の生体情報が再登録され得るという問題がある。
【０００６】
本発明の一態様は、生体認証に係る生体情報の、不正な登録を防止することを目的とする。
【課題を解決するための手段】
【０００７】
上記の課題を解決するために、本発明の一態様に係る生体認証装置は、生体の第１部位に対応する第１生体情報を取得する第１生体情報取得部と、生体の第２部位に対応する第２生体情報を取得する第２生体情報取得部と、上記生体情報の認証に用いる登録情報を記憶する記憶部と、制御部と、を備える生体認証装置であって、上記制御部が、上記第１生体情報と、上記記憶部に記憶された第１登録情報とを参照して第１認証処理を行い、上記第１生体情報と上記第２生体情報とが同一の生体の生体情報であるか否かを判定する一体性判定処理を行い、上記第１認証処理が成功し、かつ上記一体性判定処理の結果が同一の生体の生体情報であることを示す場合に、上記第２生体情報に基づく登録情報を第２登録情報として上記記憶部に記憶させる。
【０００８】
また、上記の課題を解決するために、本発明の一態様に係る制御装置は、生体の第１部位に対応する第１生体情報を取得する第１生体情報取得部と、生体の第２部位に対応する第２生体情報を取得する第２生体情報取得部と、上記生体情報の認証に用いる登録情報を記憶する記憶部と、上記第１生体情報と、上記記憶部に記憶された第１登録情報とを参照して第１認証処理を行う第１認証処理部と、上記第１生体情報と上記第２生体情報とが同一の生体の生体情報であるか否かを判定する一体性判定処理を行う一体性判定部と、上記第１認証処理が成功し、かつ上記一体性判定処理の結果が同一の生体の生体情報であることを示す場合に、上記第２生体情報に基づく登録情報を、第２登録情報として上記記憶部に記憶させる登録部と、を備える。
【０００９】
また、上記の課題を解決するために、本発明の一態様に係る制御方法は、生体の第１部位に対応する第１生体情報を取得する第１生体情報取得部と、生体の第２部位に対応する第２生体情報を取得する第２生体情報取得部と、上記生体情報の認証に用いる登録情報を記憶する記憶部と、を備える生体認証装置の制御方法であって、上記第１生体情報と、上記記憶部に記憶された第１登録情報とを参照して第１認証処理を行う第１認証ステップと、上記第１生体情報と上記第２生体情報とが同一の生体の生体情報であるか否かを判定する一体性判定処理を行う一体性判定ステップと、上記第１認証処理が成功し、かつ上記一体性判定処理の結果が同一の生体の生体情報であることを示す場合に、上記第２生体情報に基づく登録情報を、第２登録情報として上記記憶部に記憶させる登録ステップと、を含む。
【００１０】
また、上記の課題を解決するために、本発明の一態様に係るプログラムは、生体の第１部位に対応する第１生体情報を取得する第１生体情報取得部と、生体の第２部位に対応する第２生体情報を取得する第２生体情報取得部と、上記生体情報の認証に用いる登録情報を記憶する記憶部と、を備える生体認証装置を制御する制御部として、コンピュータを機能させるためのプログラムであって、上記第１生体情報と、上記記憶部に記憶された第１登録情報とを参照して第１認証処理を行う第１認証ステップと、上記第１生体情報と上記第２生体情報とが同一の生体の生体情報であるか否かを判定する一体性判定処理を行う一体性判定ステップと、上記第１認証処理が成功し、かつ上記一体性判定処理の結果が同一の生体の生体情報であることを示す場合に、上記第２生体情報に基づく登録情報を、第２登録情報として上記記憶部に記憶させる登録ステップと、をコンピュータに行わせる。
【発明の効果】
【００１１】
本発明の一態様によれば、生体認証に係る生体情報の、不正な登録を防止することができるとの効果を奏する。
【図面の簡単な説明】
【００１２】
【図１】本発明の実施形態１に係る生体認証装置の要部構成を示すブロック図である。
【図２】本発明の実施形態１に係るスマートフォンの外観を示す図である。
【図３】本発明の実施形態１に係る生体認証装置の処理を示すフローチャートである。
【図４】本発明の実施形態１に係る生体認証装置の処理を示すフローチャートである。
【図５】本発明の実施形態１、２に係るガイドの表示例を示す図である。
【発明を実施するための形態】
【００１３】
〔実施形態１〕
以下、本発明の一実施形態について、詳細に説明する。
【００１４】
（生体認証装置１００の構成）
図１は、本実施形態に係る生体認証装置１００の要部構成を示すブロック図である。図１に示すように、少なくとも１つの表示部１０１、少なくとも１つの撮像部（第１生体情報取得部）１０２、少なくとも１つの記憶部（記憶装置）１０７、少なくとも１つの指紋センサ部（第２生体情報取得部、指紋センサ）１１０、および、少なくとも１つの制御部（制御装置）１１１を備えている。
【００１５】
表示部１０１は、撮像部１０２が撮影した画像を表示する。撮像部１０２は、手の平（生体の第１部位）に対応する掌紋、および、指先に対応する指紋を含む生体を撮影して、当該生体の画像（以下、「生体画像」という）（第１生体情報）を取得する装置であり、スマートフォンのインカメラ等により実現される。また、撮像部１０２は、撮像画像として動画像または連続撮影された一連の画像を取得する。
【００１６】
記憶部１０７は、撮像部１０２が取得した生体画像の一時的な記憶、または、登録情報としての記憶を行うものであり、例えば、スマートフォン内のＲＡＭ（Random Access Memory）、フラッシュメモリ等、またはそれらの組み合わせにより構成される。指紋センサ部１１０は、指先（生体の第２部位）に対応する指紋情報（第２生体情報）を取得する。なお、記憶部１０７は、指紋センサ部１１０が取得した指紋情報を一時的に記憶し、または、生体情報の認証に用いる登録情報として記憶する。制御部１１１は、生体認証装置１００全体を制御するものであり、スマートフォン内のＣＰＵ（Central Processing Memory）等の１つ以上のプロセッサにより構成される。
【００１７】
なお、上記では、撮像部１０２と、指紋センサ部１１０とは、異なるデバイスとして説明しているが、撮像部１０２と、指紋センサ部１１０とは、生体画像および指紋情報の両方を取得可能な、同一のデバイスであってもよい。
【００１８】
制御部１１１は、画像追跡部１０３、一体性判定部１０４、掌紋検出部１０５、指紋検出部１０６、掌紋照合部（第１認証処理部）１０８、指紋照合部１０９、および、登録部（図示せず）を備えている。画像追跡部１０３は、撮像部１０２が撮影した動画像の一部を、公知の画像処理技術である物体追跡等を用いて追跡する。
【００１９】
一体性判定部１０４は、画像追跡部１０３による確認と、事前に撮影される複数の生体情報が同時撮影された状態の確認とにより、複数の生体情報（第１生体情報、第２生体情報）が同一の生体の生体情報であるか否かを判定する一体性判定処理を行う。一体性判定処理は、撮像画像から、手の平を含む掌紋画像と、指先を含む指紋画像とを取得する画像取得処理と、掌紋画像と指紋画像とが同一の生体を撮像したものであるか否かを判定する画像追跡処理と、掌紋画像と指紋画像と画像追跡処理の結果とを参照して、掌紋画像と指紋画像とが同一の生体の生体画像であるか否かを判定する処理とを含む。一体性判定処理は、指紋センサ部１１０から取得した指紋画像（第２生体情報）と、撮像部１０２から取得した指紋画像（第２生体画像）とが、同一の指先から取得された情報であるか否かを判定する処理を更に含む。
【００２０】
掌紋検出部１０５は、撮像部１０２が取得した生体画像から掌紋を検出する。掌紋検出部１０５は、掌紋の検出方法として、公知の画像処理技術であるパターンマッチング、機械学習等による画像検出を用いる。
【００２１】
指紋検出部１０６は、撮像部１０２が取得した生体画像から指紋を検出する。指紋検出部１０６は、指紋の検出方法として、公知の画像処理技術であるパターンマッチング、機械学習等による画像検出を用いる。
【００２２】
掌紋照合部１０８は、記憶部１０７に登録済みの掌紋情報と、撮像部１０２により撮影されて一時的に記憶された掌紋情報との照合（第１認証処理）を行う。掌紋照合部１０８は、掌紋情報の照合において、パターンマッチング等の公知の画像処理技術を用いて、所定の閾値を設定し、閾値以上であれば一致、閾値を下回れば不一致と判定する。
【００２３】
指紋照合部１０９は、記憶部１０７に登録済みの指紋情報と、指紋センサ部１１０により取得されて一時的に記憶された指紋情報との照合を行う。指紋照合部１０９は、指紋情報の照合において、パターンマッチングなどの公知の画像処理技術を用いて、所定の閾値を設定し、閾値以上であれば一致、下回れば不一致と判定する。
【００２４】
登録部は、第１認証処理が成功し、かつ一体性判定処理の結果が同一の生体の生体情報であることを示す場合に、第２生体情報に基づく登録情報を、第２登録情報として記憶部１０７に記憶させる。
【００２５】
（スマートフォン２００の外観）
図２は、本実施形態に係るスマートフォン２００の外観を示す図である。スマートフォン２００は、生体認証装置１００の実施例であり、カメラ２０１、表示部２０２、および、指紋センサ２０３を備えている。カメラ２０１は、図１に示す撮像部１０２に対応する。表示部２０２は、図１に示す表示部１０１に対応し、例えば、操作部を兼ね備えたタッチパネル等である。指紋センサ２０３は、図１に示す指紋センサ部１１０に対応する。
【００２６】
（生体認証装置１００の処理）
図３、および、図４は、本実施形態に係る生体認証装置１００の処理を示すフローチャートである。生体認証装置１００は、掌紋、および、指紋を認証に用いる。掌紋は、指紋を再登録、または、別指の指紋を追加登録する際に照合されるものであり、登録処理に必要な条件として利用される。指紋は、スマートフォン利用時のロック解除や本人認証などで通常利用される。
【００２７】
まず、図３を参照して、初回登録（既存の登録情報がない状態における登録）時の処理を説明する。登録される指は、事前に決められるものとし、ここでは、親指の登録を例として説明する。
【００２８】
（ステップＳ１０１）
制御部１１１は、ユーザの、既に登録済みの生体情報があるか否かを確認する。制御部１１１は、ユーザにとって初回登録のため、登録済みの生体情報がない場合（ステップＳ１０１のＮｏ）、ステップＳ１０２の処理を実行する。制御部１１１は、ユーザにとって２回目以降の利用のため、登録済みの生体情報がある場合（ステップＳ１０１のＹｅｓ）、図４のステップＳ２０１の処理を実行する。
【００２９】
制御部１１１は、生体情報（第１登録情報）が記憶部１０７に記憶されていない場合（ステップＳ１０１のＮｏ）、撮像部１０２によって取得した掌紋画像（第１生体情報）を取得した生体と同一の生体の指先（第２部位）に対応する指紋画像（第２生体情報）を、第２登録情報として記憶部１０７に記憶させると共に、第１取得処理において取得した掌紋画像を、第１登録情報として記憶部１０７に記憶させる処理を更に行う。以下、詳細に説明する。
【００３０】
（ステップＳ１０２）
制御部１１１は、撮像部１０２が生体画像を撮像する場合、手の平（第１部位）と、指先（第２部位）に関連する部位との配置位置をガイドする手の平用ガイド（第１ガイド画像）を表示部１０１に表示させる。図５（ａ）は、本実施形態に係る手の平用ガイドの表示例を示す図である。図５（ａ）に示すように、掌紋と、親指とが同時に撮影されるように、手の平用ガイドが表示部１０１に表示される。ユーザは、当該手の平用ガイドに合うように、自身の手の平を撮像部１０２に近付けて、撮影の操作を行う。当該操作に応じて、撮像部１０２は、手の平を撮影する。
【００３１】
（ステップＳ１０３）
掌紋検出部１０５は、手の平用ガイドに合わせた状態で手の平を検出したか否かを確認する。詳細には、掌紋検出部１０５は、手の平の形状（輪郭）、および、掌紋を検出する。掌紋検出部１０５は、これらの検出を、公知の画像処理（パターンマッチング、機械学習等）を用いて行う。
【００３２】
掌紋検出部１０５は、掌紋を検出しなければ（ステップＳ１０３のＮｏ）、掌紋を検出するまで、ステップＳ１０３における、掌紋の検出を確認する処理を繰り返す。なお、タイマを起動させて、所定時間が経過しても掌紋を検出できなければ、登録処理を終了させてもよい。掌紋検出部１０５は、掌紋を検出すれば（ステップＳ１０３のＹｅｓ）、手の平（生体の第１部位）に対応する掌紋を示す情報である掌紋画像（第１生体情報）Ｘを取得する処理（第１取得処理）を行い、ステップＳ１０４の処理を実行する。
【００３３】
（ステップＳ１０４）
掌紋検出部１０５は、取得した掌紋画像Ｘを記憶部１０７に記憶させる。なお、掌紋照合部１０８は、今後の登録更新の際に取得した掌紋が、登録更新すべきユーザの掌紋であるか否かを判定するための基礎データ（条件）として、掌紋画像Ｘを利用する。また、本実施形態では掌紋の画像を登録するように説明したが、掌紋の特徴点を抽出し、その特徴点の情報を格納するようにしてもよい。
【００３４】
（ステップＳ１０５）
画像追跡部１０３は、事前に決定されていた登録対象の指、ここでは親指の部分画像の追跡を開始する。追跡する指の位置決めでは、ユーザが手の平用ガイドに手を合わせる。そのため、画像追跡部１０３は、親指の位置を容易に特定可能なので、当該位置における部分画像の追跡を開始する。
【００３５】
（ステップＳ１０６）
制御部１１１は、撮像部１０２が親指の指紋を撮影するために、指先（第２部位）の配置位置をガイドする指用ガイド（第２ガイド画像）を表示部１０１に表示させる。図５（ｂ）は、本実施形態に係る親指用ガイドの表示例を示す図である。ユーザは、当該親指用ガイドに合うように、自身の親指を撮像部１０２に近付けて、撮影の操作を行う。当該操作に応じて、撮像部１０２は、親指を撮影する。
【００３６】
（ステップＳ１０７）
一体性判定部１０４は、画像追跡部１０３が追跡開始した親指画像の追跡状態を、動画フレーム毎に逐次検証する。ここで、ユーザは、ステップＳ１０２において手の平用ガイドに手を合わせた状態から、ステップＳ１０６において指用ガイドに親指を合わせる状態まで、撮影フレームから親指の画像を継続して撮影させる（すなわち、親指がフレームアウトすることがないように撮影させる）必要がある。
【００３７】
本実施形態では、例えば、３０ｆｐｓ（frame per second）で動画撮影を実施する。この場合、親指の追跡は、約３３ｍｓｅｃ間隔で実施される。この３３ｍｓｅｃの間において、追跡中の親指画像とは異なる別の親指画像の写真等を差し込んで不正登録しようとしても、この短時間に差し込むことは極めて困難である。更に、比較的ゆっくりした動作で親指用ガイドに指を合わせるように要求することにより、追跡する親指画像の移動量は小さくなる。この移動量に閾値を設けることで一定以上の移動量があった場合は、追跡できなかったと判定することが可能となるため、画像の差し替えは更に困難となる。
【００３８】
ここで、一体性判定部１０４は、追跡中の親指が動画フレームから検出されず追跡不可となったり、上記閾値以上の移動量を検出して追跡ＮＧと判断したり、または、下記ステップＳ１０８の処理と連動したタイマによる時間制限により、所定時間内に指紋が見つからなかったりした場合（ステップＳ１０７のＮｏ）、ステップＳ１１４の処理を実行する。
【００３９】
（ステップＳ１０８）
指紋検出部１０６は、一体性判定部１０４と連動して指紋を検出する。指紋検出部１０６は、指用ガイドにおける指紋のガイド付近に親指の指紋を検出したか否かを確認する。指紋検出部１０６は、公知の画像処理を用いて、指の形状および指紋を検出する。また、指紋検出部１０６は、タイマにより検出時間を制限してもよい。
【００４０】
指紋を検出した場合（ステップＳ１０８のＹｅｓ）、指紋検出部１０６は、ステップＳ１０９の処理を実行する。指紋を検出しなかった場合（ステップＳ１０８のＮｏ）、制御部１１１は、ステップＳ１０７の処理に戻る。
【００４１】
（ステップＳ１０９）
指紋検出部１０６は、検出した指紋の画像Ａを記憶部１０７に一時的に記憶させる。なお、画像Ａは、撮像部１０２によって、掌紋画像を取得した生体と同一の生体の指を撮像することにより、指紋画像（第２生体情報）Ａを取得する処理による。
【００４２】
詳細には、撮像部１０２がステップＳ１０３またはステップＳ２０４の処理後に撮像した画像において、ステップＳ１０３またはステップＳ２０４の処理において掌紋画像を取得した生体を追跡し、当該追跡が継続している間に撮像部１０２が指を撮像することにより、指紋画像Ａを取得する。
【００４３】
（ステップＳ１１０）
制御部１１１は、指紋画像を取得するために、ユーザに指紋センサ部１１０に指を当てるように促す。制御部１１１は、例えば、指紋センサ部１１０に指を当てるように促す表示を表示部１０１に行わせてもよいし、指紋センサ部１１０に指を当てるように促す音声を音声出力部（図示せず）に出力させてもよいし、他の方法で指紋センサ部１１０に指を当てるように促してもよい。
【００４４】
（ステップＳ１１１）
指紋センサ部１１０は、掌紋画像を取得した生体と同一の生体の指先（第２部位）に対応する指紋を示す情報である指紋画像（第２生体情報）Ｂを取得する。
【００４５】
（ステップＳ１１２）
指紋照合部１０９は、記憶部１０７が記憶した指紋画像Ａと、指紋センサ部１１０が取得した指紋画像Ｂとを比較することにより、指紋画像Ｂを登録情報（第２登録情報）として記憶部１０７に記憶させるか否かを決定する。なお、比較対象、および、登録対象は、必ずしも指紋画像そのものでなくてもよく、例えば、指紋画像から抽出した情報であってもよい。
【００４６】
比較した結果、指紋画像Ａと、指紋画像Ｂとが一致した場合（ステップＳ１１２のＹｅｓ）、指紋照合部１０９は、ステップＳ１１３の処理を実行する。比較した結果、指紋画像Ａと、指紋画像Ｂとが一致しなかった場合は、指紋照合部１０９は、ステップＳ１１４の処理を実行する。
【００４７】
（ステップＳ１１３）
指紋照合部１０９の指示により、登録部（図示せず）は、指紋画像Ｂ（第２生体情報に基づく登録情報）を登録情報（第２登録情報）として記憶部１０７に記憶させる処理を行う。この処理は、ステップＳ２０６の認証処理が成功し、かつ、ステップＳ１０７で一体性判定処理の結果が同一の生体の生体情報であることを示す場合の処理である。
【００４８】
この場合、登録部は、ステップＳ１０４で記憶された掌紋画像Ｘと関連付けて、指紋画像Ｂを記憶部１０７に記憶させる。ステップＳ１１３の処理により、一連の登録手順が完了する。指紋画像Ｂは、指紋センサ部１１０が取得した画像であり、ユーザがスマートフォン２００を利用する際に指紋センサ部１１０に指を当てることによって、取得される指紋画像と照合するための登録情報として利用される。なお、ステップＳ１０９で一時的に記憶された、撮像部１０２により撮影された指紋画像Ａは破棄される。
【００４９】
上記の処理により、親指の指紋を登録する際には、一体性を確認した掌紋に関連付けて登録が行われる。
【００５０】
一体性の確認に関しては、まず、撮像部１０２が、手の平用ガイドに合わせた状態で、掌紋と、親指とを同時に撮影し、それから掌紋を検出した上で、親指を追跡対象として、親指の指紋を撮影するまで動画撮影による親指画像の追跡を行う。これにより、掌紋画像Ｘと、指紋画像Ａとの一体性が確認される。
【００５１】
その後、指紋センサ部１１０が取得した指紋画像Ｂと、撮像部１０２が撮影した指紋画像Ａとを照合した結果、指紋画像Ｂと、指紋画像Ａとが一致した場合に、指紋画像Ｂを登録する。これにより、指紋画像Ａを介して、撮像部１０２が撮影した掌紋画像Ｘと、指紋センサ部１１０が取得した指紋画像Ｂとの一体性が確認される。
【００５２】
（ステップＳ１１４）
制御部１１１は、指紋の登録を不可として、処理を終了する。
【００５３】
次に、図４を参照して、登録済の状態における処理を説明する。新たに登録される指は、事前に決められるものであり、ここでは人差指を追加登録する例を説明する。なお、親指を再登録する場合も、同様の処理になる。
【００５４】
図３のステップＳ１０１において、制御部１１１は、ユーザの、登録済の生体情報があるか否かを確認する。制御部１１１は、ユーザにとって２回目以降の利用のため、登録済の生体情報がある場合（ステップＳ１０１のＹｅｓ）、図４のステップＳ２０１の処理を実行する。
【００５５】
（ステップＳ２０１）
まず、追加登録しようとしているユーザが、登録済であるか否かを確認するために、生体認証装置１００は、ユーザに指紋センサ部１１０に指を当てるように促す。制御部１１１は、例えば、指紋センサ部１１０に指を当てるように促す表示を表示部１０１に行わせてもよいし、指紋センサ部１１０に指を当てるように促す音声を音声出力部（図示せず）に出力させてもよいし、他の方法で指紋センサ部１１０に指を当てるように促してもよい。ここでは、本ユーザは、登録済の親指を指紋センサ部１１０に当てる。
【００５６】
（ステップＳ２０２）
指紋センサ部１１０は、ユーザの指に対応する指紋画像を取得する処理（第２取得処理）を行う。指紋照合部１０９は、記憶部１０７に登録済の指紋画像（第２登録情報）Ｂと、指紋センサ部１１０が取得した、指紋画像Ａ、Ｂとは異なる指紋画像（他の第２生体情報）Ｃとを比較して（参照して）認証する処理（第２認証処理）を行う。なお、比較対象（参照対象）は、必ずしも指紋画像そのものでなくてもよく、例えば、指紋画像から抽出した情報であってもよい。
【００５７】
比較の結果、指紋画像Ｂと、指紋画像Ｃとが一致した場合（ステップＳ２０２のＹｅｓ）、制御部１１１は、ステップＳ２０３の処理を実行する。比較の結果、指紋画像Ｂと、指紋画像Ｃとが一致しなかった場合（ステップＳ２０２のＮｏ）、制御部１１１は、ステップＳ２０９の処理を実行する。
【００５８】
（ステップＳ２０３）
制御部１１１は、ステップＳ１０２と同様に、手の平用ガイドを表示部１０１に表示させる。ユーザは、当該手の平用ガイドに合うように、自身の手の平を撮像部１０２に近付けて、撮影の操作を行う。当該操作に応じて、撮像部１０２は、手の平を撮像する。
【００５９】
（ステップＳ２０４）
掌紋検出部１０５は、ステップＳ１０３と同様に、手の平用ガイドに合わせた状態で手の平を検出したか否かを確認する。掌紋検出部１０５は、掌紋を検出しなければ（ステップＳ２０４のＮｏ）、掌紋を検出するまで、ステップＳ２０４における、掌紋の検出を確認する処理を繰り返す。掌紋検出部１０５は、掌紋を検出すれば（ステップＳ２０４のＹｅｓ）、手の平に対応する掌紋画像（第１生体情報）Ｙを取得する処理（第１取得処理）を行い、ステップＳ２０５の処理を実行する。
【００６０】
（ステップＳ２０５）
掌紋検出部１０５は、掌紋画像Ｙを記憶部１０７に一時的に記憶させる。
【００６１】
（ステップＳ２０６）
掌紋照合部１０８は、Ｓ１０４で記憶部１０７に記憶された掌紋画像Ｘと、ステップＳ２０４で取得し、ステップＳ２０５で一時記憶した掌紋画像Ｙとを比較して（参照して）認証する処理（第１認証処理）を行う。なお、比較対象（参照対象）は、必ずしも掌紋画像そのものでなくてもよく、例えば、掌紋画像から抽出した情報であってもよい。
【００６２】
比較の結果、掌紋画像Ｘと、掌紋画像Ｙとが一致した場合（ステップＳ２０６のＹｅｓ）、制御部１１１は、ステップＳ２０７の処理を実行する。比較の結果、掌紋画像Ｘと、掌紋画像Ｙとが一致しなかった場合（ステップＳ２０６のＮｏ）、制御部１１１は、ステップＳ２０９の処理を実行する。
【００６３】
（ステップＳ２０７）
画像追跡部１０３は、事前に決定されていた登録対象の指、ここでは人差指の部分画像の追跡を開始する。
【００６４】
（ステップＳ２０８）
制御部１１１は、撮像部１０２が人差指の指紋を撮影するために、指用ガイドを表示部１０１に表示する。図５（ｃ）は、本実施形態に係る人差指用ガイドの表示例を示す図である。ユーザは、当該人差指用ガイドに合うように、自身の人差指を撮像部１０２に近付けて、撮影の操作を行う。当該操作に応じて、撮像部１０２は、人差指を撮影する。
【００６５】
その後、制御部１１１は、図３のステップＳ１０７以降の処理を、親指を人差指に置き換えて実行する。
【００６６】
（ステップＳ２０９）
制御部１１１は、指紋の追加登録を不可として、処理を終了する。なお、スマートフォン２００自体を、強制的に初期化またはロックすることとしてもよい。
【００６７】
（実施形態１の効果）
上記のように、新たに別の指の指紋を登録する場合、または、同じ指の指紋を再登録する場合には、登録済の指紋および掌紋と、新たに入力した指紋および掌紋との一致が、必須条件となる。すなわち、複数の生体情報の一致を登録可能な条件とすることにより、登録済の本来のユーザでなければ、指紋登録が困難であるため、別人による不正登録ができなくなり、スマートフォン２００の不正利用を防ぐ効果がある。
【００６８】
さらに、追加登録又は再登録の際に、指紋および掌紋の照合に失敗した場合に、スマートフォン２００自体を、強制的に初期化またはロックしてもよい。これにより、他人がスマートフォン２００を不正に利用しようとした場合に、登録済のユーザと異なる別人が利用していることが判別され、本来のユーザに不利益となるような使用を禁止することができる。
【００６９】
〔実施形態２〕
本発明の実施形態２について、以下に説明する。なお、説明の便宜上、上記実施形態にて説明した部材と同じ機能を有する部材については、同じ符号を付記し、その説明を省略する。
【００７０】
登録する２つの生体情報は、掌紋および指紋には制限されない。図５（ｄ）は、本発明の実施形態２に係る顔および手用ガイドの表示例を示す図である。図５（ｄ）に示すように、指紋と一体性を確認する生体情報として顔を登録することも可能である。登録手順は、実施形態１と同様である。
【００７１】
なお、指紋の登録については、偽造物等による不正登録が問題になる場合がある。これに対しては、公知の技術で、皮膚色の変化により脈波を検出する技術がある。
【００７２】
http://itpro.nikkeibp.co.jp/article/NEWS/20130318/464190/
このような技術を利用することにより、生身の生体部位であることを検出することが可能であり、偽造物による不正を防ぐことができる。
【００７３】
〔ソフトウェアによる実現例〕
生体認証装置１００の制御ブロック（特に制御部１１１）は、集積回路（ＩＣチップ）等に形成された論理回路（ハードウェア）によって実現してもよいし、ソフトウェアによって実現してもよい。
【００７４】
後者の場合、生体認証装置１００は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７５】
〔まとめ〕
本発明の態様１に係る生体認証装置（１００）は、生体の第１部位に対応する第１生体情報を取得する第１生体情報取得部（撮像部１０２）と、生体の第２部位に対応する第２生体情報を取得する第２生体情報取得部（指紋センサ部１１０）と、上記生体情報の認証に用いる登録情報を記憶する記憶部（１０７）と、制御部（１１１）と、を備える生体認証装置であって、上記制御部が、上記第１生体情報と、上記記憶部に記憶された第１登録情報とを参照して第１認証処理を行い、上記第１生体情報と上記第２生体情報とが同一の生体の生体情報であるか否かを判定する一体性判定処理を行い、上記第１認証処理が成功し、かつ上記一体性判定処理の結果が同一の生体の生体情報であることを示す場合に、上記第２生体情報に基づく登録情報を第２登録情報として上記記憶部に記憶させる。
【００７６】
上記の構成によれば、第１生体情報と、第１登録情報との比較による認証に成功した場合、第２生体情報に基づく登録情報を登録するので、生体認証に係る生体情報の、不正な登録を防止することができる。
【００７７】
本発明の態様２に係る生体認証装置は、上記態様１において、上記制御部が、上記第２生体情報取得部が取得した、上記第２生体情報とは異なる他の第２生体情報と、上記第２登録情報とを参照して、第２認証処理を行うこととしてもよい。
【００７８】
上記の構成によれば、他の第２生体情報を取得し、当該他の第２生体情報と、第２登録情報との比較による認証を行うので、さらに、生体認証に係る生体情報の、不正な登録を防止することができる。
【００７９】
本発明の態様３に係る生体認証装置は、上記態様１または２において、上記第１生体情報取得部が、撮像画像として動画像または連続撮影された一連の画像を取得する撮像部（１０２）を含み、上記一体性判定処理が、上記撮像画像から、生体の上記第１部位を含む第１生体画像と、生体の上記第２部位を含む第２生体画像とを取得する画像取得処理と、上記第１生体画像と上記第２生体画像とが、同一の生体を撮像したものであるか否かを判定する画像追跡処理と、上記第１生体画像と上記第２生体画像と上記画像追跡処理の結果とを参照して、上記第１生体情報と上記第２生体情報とが同一の生体の生体情報であるか否かを判定する処理とを含むこととしてもよい。
【００８０】
上記の構成によれば、画像追跡処理の結果に応じて、第２生体情報を登録するか否かを決定するので、第１生体情報と、第２生体情報とが同一の生体を撮像したものであることを担保した上で、第２生体情報を登録することができる。
【００８１】
本発明の態様４に係る生体認証装置は、上記態様３において、上記第１生体情報が、上記第１生体画像であり、上記第２生体情報取得部が、指紋センサであり、上記一体性判定処理が、上記第２生体情報と、上記第２生体画像とが、同一の生体の第２部位から取得された情報であるか否かを判定する処理を更に含むこととしてもよい。
【００８２】
上記の構成によれば、第１生体情報を取得した生体の追跡が継続している間に第２生体情報を取得するので、第１生体情報と、第２生体情報とが同一の生体の部位に対応する情報であることを担保することができる。
【００８３】
本発明の態様５に係る生体認証装置は、上記態様３または４において、少なくとも１つの表示部を更に備え、上記制御部が、上記撮像部が上記生体画像を撮像する場合、上記第１部位と、上記第２部位に関連する部位との配置位置をガイドする第１ガイド画像と、上記第２部位の配置位置をガイドする第２ガイド画像とを、上記表示部に表示させることとしてもよい。
【００８４】
上記の構成によれば、好適に第１生体情報および第２生体情報を取得することができる。
【００８５】
本発明の態様６に係る生体認証装置は、上記態様１から５において、上記第１生体情報が、掌紋を示す情報であり、上記第２生体情報が、指紋を示す情報であることとしてもよい。
【００８６】
本発明の態様７に係る制御装置は、生体の第１部位に対応する第１生体情報を取得する第１生体情報取得部と、生体の第２部位に対応する第２生体情報を取得する第２生体情報取得部と、上記生体情報の認証に用いる登録情報を記憶する記憶部と、上記第１生体情報と、上記記憶部に記憶された第１登録情報とを参照して第１認証処理を行う第１認証処理部と、上記第１生体情報と上記第２生体情報とが同一の生体の生体情報であるか否かを判定する一体性判定処理を行う一体性判定部と、上記第１認証処理が成功し、かつ上記一体性判定処理の結果が同一の生体の生体情報であることを示す場合に、上記第２生体情報に基づく登録情報を、第２登録情報として上記記憶部に記憶させる登録部と、を備える。
【００８７】
本発明の態様８に係る制御方法は、生体の第１部位に対応する第１生体情報を取得する第１生体情報取得部と、生体の第２部位に対応する第２生体情報を取得する第２生体情報取得部と、上記生体情報の認証に用いる登録情報を記憶する記憶部と、を備える生体認証装置の制御方法であって、上記第１生体情報と、上記記憶部に記憶された第１登録情報とを参照して第１認証処理を行う第１認証ステップと、上記第１生体情報と上記第２生体情報とが同一の生体の生体情報であるか否かを判定する一体性判定処理を行う一体性判定ステップと、上記第１認証処理が成功し、かつ上記一体性判定処理の結果が同一の生体の生体情報であることを示す場合に、上記第２生体情報に基づく登録情報を、第２登録情報として上記記憶部に記憶させる登録ステップと、を含む。
【００８８】
本発明の各態様に係る制御装置は、コンピュータによって実現してもよく、この場合には、コンピュータを上記制御装置が備える各部（ソフトウェア要素）として動作させることにより上記制御装置をコンピュータにて実現させる制御装置の制御プログラム、およびそれを記録したコンピュータ読み取り可能な記録媒体も、本発明の範疇に入る。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９０】
１００  生体認証装置
１０１  表示部
１０２  撮像部（第１生体情報取得部）
１０３  画像追跡部
１０４  一体性判定部
１０５  掌紋検出部
１０６  指紋検出部
１０７  記憶部
１０８  掌紋照合部（第１認証処理部）
１１０  指紋センサ部（第２生体情報取得部、指紋センサ）
１１１  制御部（登録部）
【図１】
2019032640.tif 000003
【図２】
2019032640.tif 000004
【図３】
2019032640.tif 000005
【図４】
2019032640.tif 000006
【図５】
2019032640.tif 000007